(57)【要約】      （修正有）【課題】ポンプ本体から下方向の振動伝搬によって、ポンプ本体の重量に左右されることがなく、かつ防振体の中央部で座屈を生じることのない防振構造体を提供する。【解決手段】エラストマーからなる上下に延びる防振体からなり、前記防振体のほぼ中央に、防振体の軸線方向に対してほぼ直角に延びる略円筒状の中空体が設けられ、該中空体が取り付け部を介して振動エネルギーが吸収されるべき装置に取り付けられる防振構造体であって、前記中空体が、取り付け部によって該中空体の上下から挟持されてなることを特徴としている。【選択図】図１
0003132546.tif 000002
【実用新案登録請求の範囲】
【請求項１】
エラストマーからなる上下に延びる防振体からなり、前記防振体のほぼ中央に、防振体の軸線方向に対してほぼ直角に延びる略円筒状の中空体が設けられ、該中空体が取り付け部を介して振動エネルギーが吸収されるべき装置に取り付けられる防振構造体であって、
前記中空体が、取り付け部によって該中空体の上下から挟持されてなる
ことを特徴とする防振構造体。
【請求項２】
前記振動エネルギーが吸収されるべき装置が、電磁石と、該電磁石と間隔をおいて配置された永久磁石を備えた振動子と、該振動子の両端に連結されたダイヤフラムと、ポンプケーシング部とからなり、前記電磁石と前記永久磁石との磁気相互作用に基づいて、該永久磁石を備えた振動子が電磁振動によって、該振動子に連結されたダイヤフラムを振動させるポンプ本体であって、前記取り付け部を介して前記中空体が移動自在に取り付けられてなる請求項１記載の防振構造体。
【請求項３】
前記防振構造体の取り付け部に、取り付け方向の位置決めようの突起が設けられてなる請求項１または２記載の防振構造体。
【考案の詳細な説明】
【技術分野】
【０００１】
本考案は振動エネルギーが吸収されるべき装置に適用される防振構造体に関する。さらに詳しくは、振動エネルギーが吸収されるべき装置として、主として家庭用浄化槽用の曝気や養魚用水槽の酸素供給、あるいは理化学用のサンプリングなどに利用される電磁式ポンプに適用される防振構造体に関する。しかしながら、本考案の防振構造体は、かかる特定のタイプの電磁振動式ポンプへの適用に限定されるものではなく、一般の電磁振動式エアポンプに適用可能である。
【背景技術】
【０００２】
一般に、ダイヤフラムポンプ１から発生する雑音には、空中の伝搬と地面からの伝搬があり、特に後者の摺動伝搬による騒音はポンプ本体からの振動エネルギーを吸収しきれなかったことに起因する場合が多大である。
【０００３】
そこで、ポンプ本体からの振動を防止するために、従来から防振体が随所に用いられている。その一例として図９、図１０に示すダイヤフラム式ポンプ１が開示されている（特許文献１参照）。
【０００４】
【特許文献１】特開２００５−１７１９２６号公報
【考案の開示】
【考案が解決しようとする課題】
【０００５】
従来の防振体は図１０に示すような構造のもので円錐形が中央部において互いに接合した堤状をなし、その両端に取り付け部を備えて、一方はポンプ本体の取り付け部に、他方は筐体等のベースに取り付けられている。
【０００６】
ところが、このような従来の構造の防振構造体（防振体）６ではダイヤフラムを駆動させる振動子の主なる振動方向に対する防振対策は困難であり、また、ポンプ本体から下方向の振動伝搬は、ポンプ本体の重量に左右され防振体の中央部で座屈を生じてかえって振動が大きくなる領域の問題と欠点等の課題があった。
【課題を解決するための手段】
【０００７】
前記課題を解決するために、本考案は、エラストマーからなる上下に延びる防振体からなり、前記防振体のほぼ中央に、防振体の軸線方向に対してほぼ直角に延びる略円筒状の中空体が設けられ、該中空体が取り付け部を介して被エネルギー吸収体に取り付けられる防振構造体であって、
前記中空体が、取り付け部によって該中空体の上下から挟持されてなること防振体防振体特徴としている。
【考案の効果】
【０００８】
本考案の電磁振動式ポンプに用いる防振装置によれば、ポンプ本体から下方向の振動伝搬によって、ポンプ本体の重量に左右されることがなく、かつ防振体の中央部で座屈を生じることのない防振構造体を提供することができる。
【考案を実施するための最良の形態】
【０００９】
以下、添付図面に基づいて本考案の防振構造体が適用された電磁振動式ダイヤフラムポンプについて説明する。
【００１０】
本考案の一実施の形態に係る防振構造体が適用された防振構造体が電磁振動式ポンプのポンプ本体１（図１、図２）は電磁石２と該電磁石２と間隔をおいて配置される永久磁石（図示せず）を備えた振動子３と、該振動子３の両端に連結するダイヤフラムと、ポンプケーシング部と、前記電磁石２、振動子３、ダイヤフラムおよびポンプケーシング部を収納するケース４からなり、電磁石２と永久磁石の磁気的相互作用に基づいて、永久磁石を備えた振動子３が電磁振動によって、振動子３に連結されたダイヤフラムを振動させるポンプ本体１のケース４に設けられた複数の取付け部５と被取付け部（筐体のベース）を連結する弾性部材からなる防振体６であって、その構造は図３、図４に示す。防振体６の中央部に中空部７を有する略中空円筒８をなし、その外周側面のほぼ中央にそれぞれ取付け部ａ、ｂを設け、ポンプ本体１のケース４の取付け部と筐体のベースに装着されている。図５（ａ）、（ｂ）、（ｄ）、（ｅ）は本考案の他の一例を示したものであり、頭部９ａ、と脚部９ｂの形状が異なっているほかは図３に示すものと同一である。
【００１１】
ダイヤフラムを駆動する振動子３の振動方向の振動が主として大きくその方向（図６参照）の振動を防止するため、円筒面が直角になるように取付けることができる位置決め突起部Ｓを設けている。
【００１２】
図７は防振体の動きを示した概要図であり、振動方向（Ｘ方向）に対して中空円筒部８が取付け部材５、１１に当接して振動に対して変形して振動を吸収することを示している。
【００１３】
つぎの表１および表２は従来の防振体図１０と本考案の図３の各方向の振動比較特性を実測したもので、振動子３の振動方向（Ｘ方向）に対して振動吸収の効果が見られる。また、図８は撓みと荷重の比較特性を実測したもので従来の防振体は座屈が見られる（従来の場合、荷重約２．６〜約３．２ｋｇにおいてグラフから座屈していることが読み取れる）が、本考案は特性が直線で座屈の傾向は見られない。
【００１４】
【表１】
0003132546.tif 000003
【００１５】
【表２】
0003132546.tif 000004
【図面の簡単な説明】
【００１６】
【図１】本考案の実施形態の一例を示す立体図である。
【図２】本考案の実施形態の一例を示す側面図である。
【図３】本考案の一形態の防振装置を示す立体図である。
【図４】（ａ）は本考案の一形態の防振装置を示す側面図であり、（ｂ）は（ａ）の防振装置の正面図である。
【図５】（ａ）および（ｃ）は、それぞれ本考案の防振装置の変形例を示す側面図であり、（ｂ）および（ｄ）は、（ａ）および（ｂ）の防振装置の正面図である。
【図６】振動方向を示す説明図である。
【図７】本考案の動作を示す概要図である。
【図８】従来と本考案の撓みと荷重特性を示す比較グラフである。
【００１７】
【図９】従来の電磁振動型ポンプの防振装置を取付けた状態の外観立体図である。
【図１０】従来の電磁振動型ポンプの防振装置の側面図である。
【符号の説明】
【００１８】
１  ポンプ本体
２  電磁石
３  振動子
４  ケース
５  取付け部
６  防振体
７  中空部
８  中空円筒
【図１】
0003132546.tif 000005
【図２】
0003132546.tif 000006
【図３】
0003132546.tif 000007
【図４】
0003132546.tif 000008
【図５】
0003132546.tif 000009
【図６】
0003132546.tif 000010
【図７】
0003132546.tif 000011
【図８】
0003132546.tif 000012
【図９】
0003132546.tif 000013
【図１０】
0003132546.tif 000014